(57)【特許請求の範囲】
【請求項１】
両側に配置されるサイドフレームと、
前記サイドフレームのヘッド側に配置されるヘッド部と、
前記サイドフレームのフット側に配置されるフット部と、
前記サイドフレームの内側面に長手方向に取り付けられる受け桟と、
前記受け桟の上方に支持される床板と、
を備え、
前記サイドフレームは、シングルベッドとして使用する際に、前記受け桟の上方に前記床板の厚さより長く延設された第１延設部と、前記受け桟の下方に前記床板の厚さよりも短く延設された第２延設部と、が形成されており、かつ前記ヘッド部及び前記フット部に上下を逆さに取り付けた場合に前記受け桟の上面の高さが上下逆さにする前の前記受け桟の上面と同一高さとなるように形成されていることを特徴とするベッドフレーム
【請求項２】
前記ベッドフレームを２つ以上並列させた際に、隣接する前記ベッドフレームを連結可能な連結手段を備えていることを特徴とする請求項１に記載のベッドフレーム。
【請求項３】
両側に配置されるサイドフレーム間の間隔と略同一の幅を有するマットレスを備えていることを特徴とする請求項１又は２に記載のベッドフレーム。
【請求項４】
前記ヘッド部側面から近傍の前記サイドフレームの内側面までの幅と略同一の幅を有するマットレス移動防止手段を備えていることを特徴とする請求項１から３のいずれか１項に記載のベッドフレーム。
【請求項５】
前記マットレス移動防止手段は、棒状の部材からなり、前記サイドフレームの長さと略同一の長さを有することを特徴とする請求項４に記載のベッドフレーム。
【発明の詳細な説明】
【技術分野】
【０００１】
本発明は、シングルベッドとして、また２つを組み合わせてダブルベッドとしても使用することができるベッドフレームに関する。
【背景技術】
【０００２】
従来、２つのベッドを接合して使用する場合と、分離して使用する場合とで各ベッドのヘッド部の取付部に対する取付け角度を変えることで、それぞれの使用形態に応じて良好な外観を呈することが可能となるベッド装置が提案されている（特許文献１）。
【０００３】
このベッド装置は、２つのベッドを有し、各ベッドはベッド本体及びベッド本体の長手方向一端にヘッド部を取付ける取付部を備えており、上記ヘッド部は、上記取付部に対して角度を変えて取付け可能であるとともに、その上端部のデザインは、取付け角度を変えることで、２つのベッドを分離したときには１つのベッドの幅方向中心に対して１つのヘッド部が左右対称の形状となり、２つのベッドを接合したときには２つのヘッド部が２つのベッドの接合部を中心にして左右対称の形状となるように形成されている。そのため、ヘッド部を取付部に対して所定の角度で傾斜して取付けた状態で２つのベッドを接合すると、２つのベッドに設けられた一対のヘッドボードの上端面が１つの円弧形状とすることができ外観的に良好なものとすることができるという利点がある。
【０００４】
しかしながら、かかるベッド装置は、サイドフレームが存在しないタイプのベッドである場合には、単に接合するのみでも中央にサイドフレームが形成されないため有効であるが、サイドフレームが存在するベッドである場合には、単にベッドを隣接設置したのみでは、サイドフレームが２つのベッドの間に存在することとなるため、マットレスを敷設することができず、ダブルベッドとして使用することができないという課題があった。
【先行技術文献】
【特許文献】
【０００５】
【特許文献１】特開２００２−６５４０２号公報
【発明の概要】
【発明が解決しようとする課題】
【０００６】
本発明の目的は、単体で使用する場合にはサイドフレームが存在するシングルベッドとして使用することができ、一方で、２つを組み合わせて使用する場合には、隣り合ったベッドフレームを組み合わせることによって中央のサイドフレームが床板から突出形成することなく、マットレスを密着させて配置可能なダブルベッドとして使用することができるベッドフレームを提供することにある。
【課題を解決するための手段】
【０００７】
本発明は、上述の目的を達成するために以下の手段を採った。
【０００８】
本発明のベッドフレームは、
両側に配置されるサイドフレームと、
前記サイドフレームのヘッド側に配置されるヘッド部と、
前記サイドフレームのフット側に配置されるフット部と、
前記サイドフレームの内側面に長手方向に取り付けられる受け桟と、
前記受け桟の上方に支持される床板と、
を備え、
前記サイドフレームは、シングルベッドとして使用する際に、前記受け桟の上方に前記床板の厚さより長く延設された第１延設部と、前記床板の厚さよりも短く前記受け桟の下方に延設された第２延設部と、が形成されており、かつ前記ヘッド部及び前記フット部に上下を逆さに取り付けた場合に前記受け桟の上面の高さが上下逆さにする前の前記受け桟の上面と同一高さとなるように形成されていることを特徴とするベッドフレーム。
【０００９】
本発明のベッドフレームは、シングルベッドとして使用する場合に、第１延設部が床板の厚さより長く延設されているため、サイドフレームが床板の上方に突出形成される。そのため、床板の両側にサイドフレームが立設され、その内側に配置されるマットレスの側面を保持し、マットレスがベッドから側方へ移動することを防止することができる。一方で、本発明のベッドフレームを２つ隣接して並列配置しダブルサイズのベッドとして使用する場合には、隣接される側のサイドフレームの上下を逆さにしてヘッド部及びフット部に取り付ける。このように取り付けることで、床板よりも短い長さで延設された第２延設部が上側に配置される。そのため、第２延設部が床板の上方に突出形成されることがない。よって、隣接したベッドフレームの間にサイドフレームが突出形成されることなく、両側のベッドフレーム用のマットレスを密着させた状態で配置することができる。この際に、ダブルベッドになった状態で両側側面に配置されるサイドフレームは、上下逆さまになっておらず床板より上方に突出しているので、その内側に配置されるマットレスの側面を保持し、マットレスがベッドから側方へ移動することを防止することができる。
【００１０】
本発明のベッドフレームを２つ隣接して並列に配置してダブルベッドとして使用する場合に、隣接側のサイドフレームの上下を逆さにして配置した際に、受け桟の高さが上下逆さまに配置する前と同じ高さに形成されることで、サイドフレームの位置調整を行ったり、受け桟の上面に高さを調整する部材等を設けたりといった別途位置調整を行う必要がなく、受け桟の上面に床板を配置するだけで、サイドフレームの上下を逆さまにする前と同じ高さでかつ水平に床板をベッドフレーム内に配置することができる。
【００１１】
さらに、本発明のベッドフレームにおいて、前記ベッドフレームを２つ以上並列させた際に、隣接するベッドフレームを連結可能な連結手段を備えていてもよい。かかる構成を採用することにより、隣接するベッドフレームを互いに固定して、互いのベッドフレーム同士がずれることを防止することができる。
【００１２】
さらに、本発明のベッドフレームにおいて、両側に配置されるサイドフレーム間の間隔と略同一の幅を有するマットレスを備えていてもよい。両側のサイドフレームの間隔と同一幅のマットレスを使用することで、シングルベッドとして使用する場合に両側のサイドフレームによってマットレスの両側が支持されるため、ベッド上でマットレスが横ずれすることを防止することができる。一方で、本発明のベッドフレームを２つ隣接して並列配置してダブルベッドとして使用する場合にも、マットレスを二つ隣接配置することで隣接配置されたベッドの両側側面のサイドフレーム間よりも２つのマットレスの幅は若干狭いものの、移動可能な距離をかなり小さくすることができるので、マットレスが大きく移動することをあらかじめ防止することができる。
【００１３】
さらに、本発明のベッドフレームにおいて、ヘッド部側面から近傍のサイドフレームの内側面までの幅と同様の幅を有するマットレス移動防止手段を備えているものであってもよい。かかる構成を採用することによって、サイドフレームとマットレスとの間にマットレス移動手段を配置することで、マットレスがダブルベッドの中央に寄せられた状態から移動することを防止することができる。従って、このマットレス移動手段によって、２つのマットレスが離間したり、横づれしたりすることを防止することができる。
【００１４】
さらに、本発明のベッドフレームにおいて、前記移動防止手段は、棒状の部材からなり、サイドフレームの長さと略同一の長さを有するものであってもよい。かかる構成を採用することによって、ヘッド部からフット部までのマットレスの側面全体を保持することができ、マットレスの移動を効果的に防止することができる。
【発明の効果】
【００１５】
本発明のベッドフレームによれば、両側のサイドフレーム、ヘッド部及びフット部の四方を囲われているため、内側に配置されるマットレスを周囲から保持することができるため、マットレスが移動しないベッドフレームを提供することができる。
【図面の簡単な説明】
【００１６】
【図１】図１は、第１実施形態にかかるベッドフレーム１００の斜視図であり、図１Ａは、床板４０を敷き詰める前のベッドフレーム１００、図１Ｂは、床板４０を敷き詰める状態を示すベッドフレーム１００を示す。
【図２】図２は、図１のＡ−Ａ部を切断した場合のマットレス等を含む断面図であり、図１Ａは、サイドフレーム３０を上下逆さまに配置する前の状態を示し、図１Ｂは、右側のサイドフレーム３０を上下逆さまに取り付けた状態を示す。
【図３】図３は、ヘッド部１０とサイドフレーム３０の取り付け部を示す一部拡大図であり、図３Ａは、サイドフレーム３０を上下逆さまに配置する前の取付状態を示し、図１Ｂは、サイドフレーム３０を上下逆さまに取り付ける状態を示す。
【図４】図４は、第１実施形態にかかるベッドフレーム１００を示す斜視図である。
【図５】図５は、第１実施形態にかかるベッドフレーム１００を２つ隣接配置した状態を示す斜視図であり、図５Ａは、第１実施形態にかかるベッドフレーム１００を２つ隣接配置した状態で床板４０を敷き詰める前のベッドフレーム１００、図５Ｂは、床板４０を敷き詰める状態を示すベッドフレーム１００を示す。
【図６】図６は、第１実施形態にかかるベッドフレーム１００を２つ隣接配置した状態の断面を示す断面図である。
【図７】図７は、第１実施形態にかかるベッドフレーム１００にマットレス移動防止手８０を取り付ける状態を示した斜視図である。
【図８】図８は、第１実施形態にかかるベッドフレーム１００に使用される連結部材９０の実施形態を示す斜視図である。図８Ａは、連結部材９０と取付用鉄板６０と別部材の場合の例を示し、図８Ｂは連結部材９０と取付用鉄板６０とが同一部材の場合の例を示す。
【発明を実施するための形態】
【００１７】
本発明にかかるベッドフレームの実施形態について、図面を参照しつつ説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。なお、本明細書及び特許請求の範囲において、「シングルベッド」とは、１組のヘッド部、フット部、サイドフレームを有するベッドを指す。「ダブルベッド」とは、２組のヘッド部、フット部、サイドフレームを有するベッドを指す。すなわち、シングルベッドを２組分有するベッドを指す。ベッドサイズは、特に限定するものではない。
【００１８】
（第１実施形態）
第１実施形態にかかるベッドフレーム１００について、図１から図４を参照しつつ説明する。図１及び図２は、第１実施形態にかかるベッドフレーム１００の斜視図であり、図１Ａは、床板４０を敷き詰める前のベッドフレーム１００、図１Ｂは、床板４０を敷き詰める状態を示すベッドフレーム１００を示す。図２は、図１のＡ−Ａ部を断面した場合の模式図を示す。図３は、ヘッド部１０とサイドフレーム３０の取付方法を示し、図４はマットレス５０が配置された状態のベッドフレーム１００を示す。第１実施形態にかかるベッドフレーム１００は、図１及び図２に示すように、主として、ヘッド部１０、フット部２０、ヘッド部１０とフット部２０の間に配置され、ベッドフレーム１００の両側近傍に取り付けられるサイドフレーム３０、床板４０及びマットレス５０を備えている。
【００１９】
ヘッド部１０は、図１Ａに示すように、ベッドフレーム１００のヘッド側に配置される板状のヘッドボードからなる。ヘッド部１０は、図２Ａに示すように、マットレス５０がベッドフレーム３０内に敷設された場合に、マットレス５０よりも上方に突出されている。このヘッド部１０は、マットレス５０がヘッド側に移動することを防止する機能と、サイドフレーム３０を特定の位置に固定する機能を有する。
【００２０】
フット部２０は、図１Ａに示すようにベッドフレーム１００のフット側に配置される板状のフットボードからなる。フット部２０は、ヘッド部１０よりも高さが低く形成されているが、床板４０を敷設した際に床板４０よりも上方へ突出するように形成される。このフット部２０は、マットレス５０がフット側に移動することを防止する機能と、サイドフレーム３０を特定の位置に固定する機能を有する。
【００２１】
サイドフレーム３０は、ヘッド部１０とフット部２０との間に配置され、ベッドフレーム１００の両サイドに配置されるものである。よって、ヘッド部１０、フット部２０及びサイドフレーム３０とで上面視で矩形の枠体を形成する。サイドフレーム３０は、図１Ｂに示すように、内側に受け桟３１がサイドフレーム３０の全長に渡って設けられている。この受け桟３１は、床板４０を上面に支持する機能を有する。サイドフレーム３０は、図２Ａに示すように、シングルベッドを構成する場合に、床板４０の厚さよりも長く延設された第１延設部３０ａが形成され、受け桟３１の上方側に床板４０よりも突出して形成される。床板４０より上方に突出して形成された第１延設部３０ａ（サイドフレーム）によって、床板４０の上面に敷設されるマットレス５０が横方向へ移動することが防止される。一方、サイドフレーム３０の受け桟３１の下方側は、床板４０の厚さよりも短く下方に延設された第２延設部３０ｂが形成される。
【００２２】
ヘッド部１０及びフット部２０は、あらかじめサイドフレーム３０が特定の位置に取り付けられるように、取付手段が形成されている。取付手段は特に限定するものではないが、例えば、図３Ａに示すように、あらかじめに取り付け用の第１貫通孔６１が形成された取付用鉄板６０をサイドフレーム３０の端面に設け、他方、ヘッド部１０に第１貫通孔６１と対応する位置に第２貫通孔１１を設けておくとよい。かかる構成にすることで、それぞれ第１貫通孔６１及び第２貫通孔１１を通すようにボルト７１及びナット７２等の螺合部材を用いて螺着することで、第１貫通孔６１及び第２貫通孔１１の高さ方向及び横方向のいずれの方向も位置決めされるため、サイドフレーム３０を常に特定の位置に取り付けることができる。フット部２０側も同様にして、サイドフレーム３０を取り付けることで、サイドフレーム３０をヘッド部１０及びフット部２０の間に常に特定の位置に取り付けることができる。
【００２３】
一方で、このサイドフレーム３０は、図２Ｂに示すように、ヘッド部１０及びフット部２０に対して上下逆に取り付けることができる。ヘッド部１０には、サイドフレーム３０を逆さまに取り付ける場合の専用の下方貫通孔１１ａが設けられている。サイドフレーム３０は、前述した２つの第２貫通孔１１の下方の第２貫通孔１１及び下方貫通孔１１ａと、第１貫通孔６１をそれぞれ対応するように取り付けることによって、受け桟３１が上下逆さまにする前と逆さまにした後で同一高さとなるように形成されている。そのため、サイドフレーム３０を上下逆さまに取り付けた場合に、図３Ｂに示すように、受け桟３１の上面の高さが、図３Ａの上下逆さまに取り付けられる前の受け桟３１の上面の高さ位置と同一の高さ位置となるように取り付けることができる。よって、図２Ｂの示すように、サイドフレーム３０を上下逆さまに取り付けたとしても、床板４０を敷設した際には、床板４０の高さは同一の高さに配置され、かつ水平が保たれることになる。
【００２４】
床板４０は、上面にマットレス５０を敷設するための板状部材である。上面にマットレス５０を敷設することができれば、その材質等は特に限定するものではない。なお、本実施形態においては、容易に床板４０を敷設することができるように、４枚の板で形成されている。
【００２５】
マットレス５０は、シングルベッドとして使用する場合にサイドフレーム３０間の間隔と同一の幅に形成され、ヘッド部１０とフット部２０との間の間隔と同一の長さに作製される。すなわち、ヘッド部１０、フット部２０及びサイドフレーム３０に囲まれた領域とほぼ同様の大きさに形成されており、それぞれのヘッド部１０、フット部２０及びサイドフレーム３０によって、前後左右の移動が防止される。
【００２６】
以上のように構成されたベッドフレーム１００の各構成部品は、シングルベッドとして使用する場合には、図１に示すように、ヘッド部１０及びフット部２０にサイドフレーム３０を第１延設部３０ａが上方に来るように取付けて枠体を形成する。そして、図１Ｂに示すようにサイドフレーム３０の受け桟３１に床板４０を敷設して、枠体の内側に床板４０で形成された床面を形成する。その後、この床面の上に、図４に示すように、マットレス５０を載置してシングルベッドとして使用することができる。こうして作製されたシングルベッドは、上述したように、マットレス５０は、ヘッド部１０、フット部２０及びサイドフレーム３０に囲まれた領域とほぼ同様の大きさに形成されているため、マットレスが前後左右に移動することがない。
【００２７】
一方、２つのベッドフレーム１００を組み合わせて、ダブルベッドとして使用する場合には、図３Ｂに示すように、隣接設置される側（図２Ｂでは右側）のサイドフレーム３０を上下逆さまにし、第２延設部３０ｂが上方に配置されるようにヘッド部１０及びフット部２０に取り付ける。そして、図５Ａに示すように、上下逆さまに取り付けられたサイドフレーム３０側がダブルベッドとして使用される際に中央に配置されるように、それぞれのベッドフレーム１００を密着して配置する。そしてシングルベッドを作製する場合と同様に、それぞれのベッドフレーム１００の受け桟３１に床板４０を敷設する。このときに、第２延設部３０ｂが受け桟３１より上方に床板４０より短く形成され、図６に示すように、中央２つのサイドフレーム３０は床板４０から突出することがない。そのため、マットレス５０はサイドフレーム３０に邪魔されることなく中央に寄せて互いに密着するように配置することができる。こうして、ダブルベッドとして使用した場合であっても互いのマットレス５０の間に隙間を開けて配置しなければならない状況を回避することができる。
【００２８】
さらに、マットレス５０は、ヘッド部１０の側面からサイドフレーム３０の内側面までの幅α分、サイドフレーム３０より中央側へ寄せて配置されることになる。そのため、マットレスが多少側方に移動する可能性がある。そこで、ヘッド部１０の側面からサイドフレーム３０の内側面までの幅と同様の幅を有するマットレス移動防止手段８０が、両側のサイドフレーム３０とマットレス５０との間に配置される。第１実施形態においては、幅αを有し、ほぼサイドフレームと同様の長さを有する角柱状の木材から作製された棒状部材が使用されている。これにより、マットレス５０が就寝中に両側へ移動することを防止することができる。
【００２９】
なお、本発明は、上記実施形態の構成に限定されるものではなく、本発明の趣旨及び範囲から逸脱することなく種々の変更や改良を行うことが可能であり、例えば、以下の態様に変更してもよい。
【００３０】
上述した実施形態では、ヘッド部１０として板状のヘッドボードを使用したが、これに限定するものではなく、例えば、ヘッド部１０に小物置用のスペースを有するヘッド部を使用してもよいし、必ずしも全面が板状である必要はなく、パイプ状のものを使用してもかまわない。同様にフット部２０も上記実施形態では板状のフットボードを使用したがこれに限定するものではない。
【００３１】
また、上述した実施形態においては、ダブルベッドを構成する際に単に、隣接配置するものとして説明したが、互いのベッドフレーム１００の位置関係を規制するために、図８Ａに示すように、互いのベッドフレーム１００を連結する連結手段９０を設けてもかまわない。また、連結手段９０は、図８Ｂに示すように、ヘッド部１０とサイドフレーム３０とを連結させる取付用鉄板６０と共通の部品として形成してもかまわない。
【００３２】
さらに、上述した実施形態においては、ベッドフレーム１００の枠体を形成するものとして、ヘッド部１０、フット部２０、ヘッド部１０とフット部２０の間に配置され、ベッドフレーム１００の両側近傍に取り付けられるサイドフレーム３０とで構成するものとしたが、必ずしもこれらのみである必要はなく、ヘッド部１０とフット部３０との間にセンターパネルを設けてもかまわないし、サイドフレーム３０の湾曲を防止するワイヤー等をサイドフレーム３０間に架設してもかまわない。
【００３３】
さらに、上述した実施形態においては、ベッドの下方には何らの構成を設けていないが、例えば収容領域を設ける等他の構成を随時設けることができる。
【００３４】
さらに上述した実施形態においては、マットレス移動防止手段８０として、幅αを有し、ほぼサイドフレームと同様の長さを有する角柱状の木材より作製された棒状部材が使用されているが、必ずしも木材に限定するものではなく、例えばクッション等で作製してもよい。
【００３５】
さらに上述した実施形態においては、２つのベッドフレームを使用したダブルベッドについて説明しているが、３つ以上のベッドフレームを使用してもよい。
【産業上の利用可能性】
【００３６】
上述した実施の形態で示すように、ベッドとして利用することができる。
【符号の説明】
【００３７】
１０…ヘッド部、１１…第２貫通孔、１１ａ…下方貫通孔、２０…フット部、３０…サイドフレーム、３０ａ…第１延設部、３０ｂ…第２延設部、３１…受け桟、４０…床板、５０…マットレス、６０…取付用鉄板、６１…第１貫通孔、７１…ボルト、９０…連結手段、１００…ベッドフレーム
【図１】
0005422017.tif 000002
【図２】
0005422017.tif 000003
【図３】
0005422017.tif 000004
【図４】
0005422017.tif 000005
【図５】
0005422017.tif 000006
【図６】
0005422017.tif 000007
【図７】
0005422017.tif 000008
【図８】
0005422017.tif 000009